(57)【要約】      （修正有）【課題】省エネ・クリーンエネルギー使用およびユビキタス社会の実現にいつでも何処でも充電できる発電機を提供する。【解決手段】人間の歩く時の運動エネルギーを電気エネルギーに変換し，その電気エネルギーを充電器に充電および直接利用する。靴の下のところに流体タンク１０があリ、靴の下のところを含めて，このタンクと別なところにも流体タンク１３がある。靴の下の流体タンク１０と別なところの流体タンク１３の間に流体を流動できる流路パイプ１１が設けられる。流体流路パイプ１１の通路に，小型発電機１２があり、流体流路の中の流体が流動させた際，その回転子は流体の衝撃力により，回転する。人間の歩く時の圧力を利用して，靴の下にある流体タンク１０に圧力をかける。従って，流体が流路パイプ１１に沿って，別なところにある流体タンク１３に駆動させる。流体が流路に流動させた際，流路中の発電機回転子を駆動し，回転子を回転させる。【選択図】図１
2009044945.tif 000002
【特許請求の範囲】
【請求項１】
運動エネルギーによる，発電或いは充電電池に充電できる装置であって，  前記発電装置に，発電において，流体の流動により，発電機の回転子を駆動させ，発電することができるような装置と，  前記の発電装置において，一個以上の流体タンクがある。各流体タンクに圧力がオン・オフすることを繰り返えしすると，流体が流体タンクの間に往復流動することができる装置と，  流体タンクの間に流体流路を設け，また，この流体流路のなか，流体の流動による，発電機の回転子を回転させ発電する構造を持ち装置と  前記発電装置は，人間歩行エネルギーを運動エネルギーとして，流体タンクに圧力をかけ，流体を流体タンクの間に流動させ，電力を発生する装置と  この歩行中に人間動きにより発生した電力が，装置の一部としての充電器，あるいは，外部にるる充電器にながされ，充電電池を充電するができる，或いは，電線を通じて，直接携帯電気に使用することができる装置。
【請求項２】
前記の発電装置に，二種類の流体タンクが使用。一種類の流体タンクが圧縮される，もう一つ種類の流体タンクは予備収縮力を持つタンクであるの発電および充電装置。
【請求項３】
前記のいずれの発電装置と各種類の靴を一体化した，歩きながら発電できる或いは充電できる靴。
【請求項４】
前記いずれの発電装置による，各種類の靴に取り付ける部分を設け，人間歩行発電することができる各種類靴に取り付けられるる発電或いは充電装置。
【発明の詳細な説明】
【技術分野】
【０００１】  本発明は、ユビキタス社会に対応するために，携帯電気製品の給電および充電に便利になる装置であった。いつでも、何処でも、歩きさえすれば、充電電池の充電をできる。携帯電気製品の充電を便利になる同時に、エネルギー不足と温暖化の解消に少しでも、役立つように人力発電にした。  人間には、毎日少なくとも何千歩歩く、特に外出旅行なら、一日何万歩でも歩くのができる。これらのエネルギーを電気エネルギーに変換すれば、便利になる同時に、クリーンなエネルギーを使用する意識改革にでもつながる。
【背景技術】
【０００２】  歩きながら，電力を発生する発電装置が既にある。例え，歩行する際，靴から光を発生する靴が，既に，世の中にある。しかし，今の携帯端末に充電することが満足することができる大きさの発電力の人間歩き発電装置がまだない。十分な発電力を持つと同時に小型化および形状自由に設計することができる人間歩き発電装置は課題となっている。
【発明の開示】
【発明が解決しようとする課題】
【０００３】  グローバル温暖化に伴う，現在エネルギー節約，グリーンエネルギーを使用などの全社会的な要望がある。また，ユビキタス社会を目指すために，携帯端末の使用が普及しているところである。いつでも何処でも携帯端末を使用することができるように，いつでも，何処でも携帯電気に給電および充電できるということが必要である。本発明は，省エネ・クリーンエネルギー使用およびユビキタス社会に必備品とするいつでも何処でも給電および充電できることという課題を解決しようとする発明である。
【課題を解決するための手段】
【０００４】  人間の歩き時の運動エネルギーを電気エネルギーに変換し，またその電気エネルギーを充電器に充電および直接利用する。【０００５】  発電原理として，流体の流動の運動エネルギーにより，発電機の回転子を駆動し，発電すること。【０００６】  靴下のところに流体タンクがある。また，別なところにも収縮できる流体タンクある。【０００７】  靴の下の流体タンクと別なところの流体タンクの間に流体を流動できる流路パイプがある。【０００８】  また，靴の下の流体タンクと別なところの流体タンクの間に流体を流動することがさえできるなら，流路パイプの形状と経路が自由に設計できる。【０００９】  流体流路パイプに，小型発電機がある。その発電機の回転子は流体流路の中の流体が流動させた際，その回転子を流体の衝撃力により，回転することができる。【００１０】  人間は歩き時，路面と靴の間に圧力が発生する。この圧力を利用して，靴の下にある流体タンクに圧力をかける。従って，流体が流路パイプに沿って，別なところにある流体タンクに駆動させ。【００１１】  流体が流路に流動させた際，流路中の発電機回転子を駆動し，回転子を回転させる。  従って，発電機は発電することができる。【００１２】  また，別なところにある流体タンクは，圧縮されることができる，或いは，弾性収縮することができるタンクである。【００１３】  人間は歩きをする際，もし靴と路面接触していない場合，すなわち，靴の下の流体タンクに一定的な圧力を掛けていないなら，別なところの流体タンクは弾性収縮タンクの場合，弾性収縮力による，流体が圧縮され，靴の下の流体タンクに注入され。この際，発電効率を高めるために，流体がもう一回に発電機の回転子に通過させ，発電することができる。  また，流体タンクは，全部圧縮されるタンクの場合，タンクが全部靴の下に置く，靴の下の部分に違うタンクに圧力を掛ける時間差により，流体がタンクの間に流動させることができる。【００１４】  流路パイプに流体スイッチが設けることが可能である。また，そのスイッチの組み立てんいより，発電機回転子の回転方向保持および逆転することが可能である。【００１５】  発電機による発生した電力が蓄電器に蓄電することができる。また，直接携帯電気に使用することができる。  発電機から電線を設ければ，身の他のところに繋がることが可能である。
【発明の効果】
【００１６】  人間の歩きエネルギーにより，いつでもどうこでも携帯電気の充電および使用することが可能である。  二つの流体タンクの間に流体を流動することにより，高効率発電することが可能である。【００１７】  また，流体パイプの配置の自由度が大きいので，人間歩き発電装置の小型化および形状自由設計が可能になる。【００１８】  小型化した人間歩き発電装置は，靴の形状に合わせて設計すれば，靴と一体化することができる。また，各種類の靴の形状に合わせて形状を設計すれば，ファショッンにもよい小型各種類の靴に取り付け便利な人間歩き発電装置ができる。
【発明を実施するための最良の形態】
【００１９】  図１において，本発明を採用した一の実施形態である。  １０は靴の下に置いている流体タンクである。発電機１２は靴の後ろの側面に置く。二つの弾性収縮できる流体タンク１３は靴の外側と後ろ側に置く。二種類の流体タンクに流体流路パイプ１１がある。また，流体流路に発電機がある。整流回路および充電電池の置く場所は１４のところにある。【００２０】  靴は路面に圧力を掛ける際，靴下の流体タンク１０が圧縮され。流体は１１の流体流路パイプに沿って二つの流体タンク１３に流され。【００２１】  流体が発電機１２に通過する際，流体の衝撃力によって，発電機１２の回転子を回転させ。従って，発電機１２は電力を発生する。【００２２】  発電機が発生した電力が電線１５を通じて，整流回路及び充電器１４に流され。整流器及び充電器１４に，電力が蓄電池に蓄電される。【００２３】  靴と路面の間に，圧力がない時，弾性収縮タンク１３の中の流体が流体タンクの収縮により，流体が靴の下にある流体タンク１０に圧縮され，流体タンク１０に流される。流体が発電機１２に通過し際，発電機１２の回転子を回転させ，発電機１２が発電させる。また，この電力が前述した蓄電方法と同じように，整流器および充充電器１４のところで，蓄電池に蓄電される。【００２４】  また，前述した発電機１２は，流体が回転子の中心に沿って流れると，回転することができるために，回転子が筒上の構造にする，また，筒状の回転子の中，タービンのような構造を設け。流体が流れると，発電機筒状の回転子が回転することができる。従って，発電することができる。
【産業上の利用可能性】
【００２５】  省エネ，クリーンエネルギー使用およびユビキタス社会に必須品とする，いつでも何処でも携帯発電装置として，これから産業化することが必然であると予想することができる。靴に一体化，或いは便利に各種類の靴に取り付けるように具体化すれば，大きな産業になれると予想することができる。
【図面の簡単な説明】
【００２６】
【図１】において，本発明を採用した一の実施形態である。
【００２７】
【図２】において，本発明の基本構造である。
【符号の説明】
１０，  ２０  靴の下に置く流体タンク１１，  ２１  流体流路パイプ１２，  ２２  発電機１３，  ２３  弾性収縮流体タンク１４，  ２４  電線１５    ２５  整流回路部分と蓄電池
【図１】
2009044945.tif 000003
【図２】
2009044945.tif 000004